(57)【特許請求の範囲】
【請求項１】
導体層を有する下側積層板及び上側積層板からなる多層板上における半導体チップ搭載エリアの外周部に形成された複数の層間接続用スルーホールと、さらにその周囲に形成されたボンディングパッド列とを備え、前記スルーホールが封止材によって穴埋めされている電子部品搭載装置において、
前記多層板を構成する下側積層板の最表層に位置する導体層をエッチングすることによって、前記スルーホールと前記ボンディングパッド列との間の領域に、前記封止材の流動を阻止するエッチング溝部を形成したことを特徴とする電子部品搭載装置。
【請求項２】
前記エッチング溝部は凹部であることを特徴とする請求項１に記載の電子部品搭載装置。
【請求項３】
前記凹部の幅は少なくとも１００μｍ以上であり、前記凹部の深さは前記導体層の厚さであることを特徴とする請求項２に記載の電子部品搭載装置。
【請求項４】
前記凹部は、隣接する前記スルーホールの間の領域にも設けられていることを特徴とする請求項２または３に記載の電子部品搭載装置。
【発明の詳細な説明】
【０００１】
【発明の属する技術分野】
本発明は、電子部品搭載装置に関するものである。
【０００２】
【従来の技術】
半導体チップ等に代表される電子部品を搭載してなる装置として、従来、各種の半導体パッケージが知られている。この種のパッケージには、多層プリント配線板が近年よく用いられる。通常、このような多層プリント配線板の片側面中央部には、半導体チップを搭載するためのキャビティが設けられる。キャビティの外周部には、複数の層間接続用めっきスルーホールが列をなすように形成される。めっきスルーホール列の外周部には、さらにボンディングパッドが列をなすように形成される。
【０００３】
ところで、従来においては、信頼性の向上などを目的として、各めっきスルーホールを樹脂からなる封止材によって穴埋めした後、孔内に充填された封止材の露出部分を研削加工してその表面を平坦化していた。
【０００４】
【発明が解決しようとする課題】
しかし、封止材の研削を行った場合、多層プリント配線板の表面にある導体層が一緒に削られてしまうこともあり、パターンの断線等を引きおこすおそれがある。そこで、軟質で流動性の高い封止材を選択するとともに、孔内への充填後に振動を与えて封止材をレベリングすることも考えられる。
【０００５】
ところが、このような方法を実施すると、めっきスルーホールの開口部から封止材が溢れ出やすくなり、その溢れ出た封止材が流動してランドの周囲に広がり、場合によってはそれがボンディングパッドの表面に付着するおそれがある。
【０００６】
そして、このままの状態でワイヤボンディングを行うと、パッド表面とワイヤ先端との間における絶縁膜の介在に起因して、ワイヤボンディング部分に接続不良が起こりやすくなる。
【０００７】
本発明は上記の課題に鑑みてなされたものであり、その目的は、ワイヤボンディング部分における接続信頼性に優れた電子部品搭載装置を提供することにある。
【０００８】
【課題を解決するための手段】
上記の課題を解決するために、請求項１に記載の発明では、導体層を有する下側積層板及び上側積層板からなる多層板上における半導体チップ搭載エリアの外周部に形成された複数の層間接続用スルーホールと、さらにその周囲に形成されたボンディングパッド列とを備え、前記スルーホールが封止材によって穴埋めされている電子部品搭載装置において、前記多層板を構成する下側積層板の最表層に位置する導体層をエッチングすることによって、前記スルーホールと前記ボンディングパッド列との間の領域に、前記封止材の流動を阻止するエッチング溝部を形成したことを特徴とする電子部品搭載装置をその要旨とする。
【０００９】
請求項２に記載の発明では、請求項１において、前記エッチング溝部は凹部であるとした。
請求項３に記載の発明では、請求項２において、前記凹部の幅は少なくとも１００μｍ以上であり、前記凹部の深さは前記導体層の厚さであるとした。
【００１０】
請求項４に記載の発明では、請求項２または３において、前記凹部は、隣接する前記スルーホールの間の領域にも設けられているとした。
以下、本発明の「作用」について説明する。
【００１１】
請求項１に記載の発明によると、スルーホールの開口部から溢れ出た封止材の流動が、スルーホールとボンディングパッド列との間の領域に設けられたエッチング溝部によって阻止される。その結果、封止材がボンディングパッドに到達しにくくなり、パッド表面への封止材の付着が回避される。また、エッチング溝部の形成をエッチングによるパターン形成工程と同時に行うことができる。よって、別工程を必要とすることもなく、効率よく製造可能な装置とすることができる。
【００１２】
請求項２に記載の発明によると、溢れ出た封止材が凹部に落とし込まれることにより封止材の流動抵抗が増加し、結果として封止材の流動距離が短くなる。また、凹部は凸部に比べて一般に形成が容易である。さらに、凹部は面から引っ込んでいるので、設置されたとしてもボンディングワイヤの邪魔になることもない。
【００１３】
請求項３に記載の発明によると、凹部の幅と深さを好適範囲に設定したことにより、凹部内に確実に封止材を落とし込んで、トラップすることができる。よって、封止材がボンディングパッドにいっそう到達しにくくなり、パッド表面への封止材の付着が確実に回避される。
【００１４】
請求項４に記載の発明によると、隣接するスルーホールの間の領域にも凹部を設けることにより、封止材がボンディングパッドにいっそう到達しにくくなる。従って、パッド表面への封止材の付着が確実に回避される。
【００１５】
【発明の実施の形態】
以下、本発明の電子部品搭載装置を具体化した一実施形態の半導体パッケージ１を図１〜図３に基づき詳細に説明する。
【００１６】
図１において概略的に示されるように、２ティア構造をなすこの半導体パッケージ１は、多層プリント配線板２、ヒートスラグ３、ＬＳＩチップ４等によって構成されている。
【００１７】
この多層プリント配線板２は、２枚の積層板５，６からなるものであって、表層及び層間に合計６つの導体層を有している。即ち、本実施形態の多層プリント配線板２は６層板である。矩形状をした多層プリント配線板２の下面側には、同じく矩形状をしたヒートスラグ３が接着剤８を用いて張り付けられている。放熱体であるヒートスラグ３には、銅板等のような熱伝導性の高い金属板などが使用される。
【００１８】
図１〜図３に示されるように、多層プリント配線板２の上面側中央部には、ＬＳＩチップ４をダイボンディングして搭載するためのエリアに対応して、キャビティ９が設けられている。略矩形状をしたキャビティ９の開口縁外周部には、多数の内壁にめっきを施したスルーホール１０が設けられている。これらのめっきスルーホール１０は、キャビティ９の開口縁を包囲するように列をなした状態で等間隔に形成されている。なお、これらのめっきスルーホール１０は、下側積層板５における導体層同士を層間接続している。各めっきスルーホール１０のランド１１は、多層プリント配線板２の第１段部１２上に存在する。このランド１１内には、スルーホール１０を囲むようにエッチング等によって凹部の溝３０を形成することにより、スルーホール１０の封止材１５の流動を単独で抑えることができる。そのほか、溝部３１，４１，４２，４３との共同によって、更に効果的に封止材１５の流動を抑えることができる。
【００１９】
第１段部１２上においてさらに前記めっきスルーホール列の外周部には、多数のボンディングパッド１３が設けられている。本実施形態では、略長方形状のパッド１３からなるボンディングパッド列が２列形成されている。そして、各パッド１３は、放射状に延びる配線パターン１４に対してそれぞれ接続されている。
【００２０】
各めっきスルーホール１０は、封止材１５によって穴埋めされている。このような封止材１５としては、従来より軟質で流動性の高いもの、言い換えると孔内への充填後に振動付与によるレベリングが可能なものが選択されている。本実施形態では、具体的にいうとエポキシ系の樹脂を主成分とする封止材１５（デクスター）が用いられている。勿論、このほかに、別の樹脂を主成分とする封止材１５を選択することも可能である。これらの樹脂には非導電性の、或いは導電性のフィラーが含まれているものがある。前記封止材１５には熱硬化性が付与されていることがよい。
【００２１】
また、ＬＳＩチップ４側と多層プリント配線板２側とは、多数本のボンディングワイヤ１６を介して接合されている。
図１〜図３に示されるように、多層プリント配線板２の第２段部２１上には、縁部を包囲するようにダム枠２２が貼着されている。このダム枠２２は、ポッティング用樹脂の外周方向への流動を阻止する役割を果たすものである。ダム枠２２の外周部には、多数のめっきスルーホール２３が設けられている。これらのめっきスルーホール２３はダム枠２２を包囲している。なお、各めっきスルーホール２３は、下側積層板５及び上側積層板６における導体層同士を層間接続している。各めっきスルーホール２３のランド２４は、第２段部２１上に存在する。ランド２４上には、バンプとしてのはんだボール２５が接合されている。つまり、この半導体パッケージ１は、いわゆるフェイスダウンタイプのＢＧＡ（ボール・グリッド・アレイ）となっている。
【００２２】
図１〜図３に示されるように、この半導体パッケージ１は、封止材１５の流動を阻止するための凹凸構造を備えている。具体的にいうと、本実施形態における凹凸構造は、第１段部１２上にあった導体層をエッチングすることにより形成されるエッチング溝部３１である。エッチング溝部３１は、めっきスルーホール１０からなるめっきスルーホール列と、ボンディングパッド１３からなるボンディングパッド列との間の領域に設けられている。また、このエッチング溝部３１は連続した形状であって、めっきスルーホール列をその外周側から完全に包囲している。
【００２３】
図３に示されるように、エッチング溝部３１の内縁部分は直線状である反面、外縁部分は曲線状にうねっている。従って、エッチング溝部３１は、隣接するめっきスルーホール１０のランド１１間の領域にも設けられている、と把握することができる。また、各めっきスルーホール１０のランド１１においてキャビティ９の近くに位置する箇所には、ワイヤボンディング部が残された状態となっている。
【００２４】
エッチング溝部３１の深さは、第１段部１２上にあった導体層の厚さ分に相当し、具体的には５μｍ〜５０μｍ（好ましくは１０μｍ〜２５μｍ）である。エッチング溝部３１が浅すぎると、溢れ出た封止材１５を落とし込める量が少なくなり、封止材１５の流動阻止効果が十分に得られなくなるおそれがあるからである。
【００２５】
図３においてＷ１で示されるエッチング溝部３１の幅（最小幅）は、少なくとも１００μｍ以上、さらには１５０μｍ以上であることがよい。この幅Ｗ１が小さすぎると、エッチング溝部３１が比較的浅いときに十分な流動阻止効果が得られなくなるおそれがあるからである。
【００２６】
次に、この半導体パッケージ１の製造手順を簡単に説明する。
まず、４層の導体層を有する下側積層板５を、従来公知のサブトラクティブプロセスに従って作製する。具体的には、下側コア基板３２の表裏両面にある銅箔をエッチングしてパターンを形成した後、さらに別の銅箔及びプリプレグ３３を重ね合わせた状態でラミネートする。このとき用いられる銅箔は、極薄（具体的には厚さ０．５μｍ〜７．０μｍ程度）のものであることがよい。極薄銅箔を使用すれば、後の導体パターン分断工程においてエッチングにより除去すべき厚さ分が極めて少なくて済む。よって、形状のよいファインパターンを得やすくなる。続いて、めっきスルーホール１０の形成のためのスルーホール形成用孔の穴あけを行い、さらにレジストを設けた状態でスルーホールめっきを行う。このとき、最表層に位置する銅箔上にも銅めっき層が付着する。
【００２７】
その後、エッチングレジストを形成した状態でエッチングを行うことにより、銅めっき層を分断し、所望のパターン（ランド１１、パッド１３、配線パターン１４等）を形成する。なお、このときのエッチングによって、所定箇所にエッチング溝部３１も同時に形成される。
【００２８】
パターン形成を行った後、印刷等によって各めっきスルーホール１０内に封止材１５を充填した後、全体に振動を与えて封止材１５をレベリングする。このとき、めっきスルーホール１０の開口部から封止材１５が溢れ出たとしても、その封止材１５の流動は、エッチング溝部３１によって阻止される。即ち、溢れ出た封止材１５は、凹部であるエッチング溝部３１内に落とし込まれてトラップされる。レベリングの終了後、研削加工を行うことなく封止材１５をそのまま熱硬化させる。そして、配線パターン１４等を保護すべく、下側積層板５の表裏両面にソルダーレジスト３４を形成する。
【００２９】
次に、上側コア基板３５に所定のパターンを形成した後、その片側面にソルダーレジスト３４を形成する。続いて、ソルダーレジスト３４の形成面にダム枠２２を設けた後、両積層板５，６間にプリプレグ３３を配置した状態で両者５，６をラミネートする。この後、めっきスルーホール２３を形成するためのスルーホール形成用孔を穴あけし、それに対するスルーホールめっきを行う。さらに、めっきスルーホール２３のランド２４にニッケル金めっきを施し、かつ前記封止材１５による穴埋めを行った後、接着剤８を用いて下側積層板５にヒートスラグ３を貼り付ける。そして、最後にランド２４にはんだボール２５を接合した後、ワイヤボンディング及びポッティングを行い、半導体パッケージ１を完成させる。
【００３０】
従って、本実施形態によれば以下のような効果を得ることができる。
（１）この半導体パッケージ１では、めっきスルーホール列とボンディングパッド列との間の領域に、凹凸構造としてのエッチング溝部３１が設けられている。従って、めっきスルーホール１０の開口部から溢れ出た封止材１５の流動が、エッチング溝部３１によって阻止される。その結果、封止材１５がボンディングパッド１３に到達しにくくなり、パッド１３の表面への封止材１５の付着が回避される。つまり、従来とは異なり、パッド１３の表面が絶縁膜で覆われてしまうことがなく、ワイヤ１６の先端をパッド１３の表面に対して確実に接合することができる。よって、このままの状態でワイヤボンディングを行ったとしても、ワイヤボンディング部分に接続不良が起こらない。即ち、ワイヤボンディング部分における接続信頼性に優れた半導体パッケージ１を実現することができる。
【００３１】
（２）この半導体パッケージ１では、凹凸構造として凹部（エッチング溝部３１）を設けている。従って、上記のごとく、溢れ出た封止材１５がエッチング溝部３１に落とし込まれることにより、封止材１５の流動抵抗が増加する。その結果として、封止材１５が流動しうる距離が短くなり、封止材１５がボンディングパッド１３に到達しにくくなる。
【００３２】
（３）また、凹部は凸部に比べて一般に形成が容易であるという利点がある。即ち、本実施形態のようなエッチング溝部３１の形成は、エッチングによるパターン形成工程と同時に行うことが可能だからである。よって、形成のために別工程を必要とすることもなく、半導体パッケージ１を効率よくかつ低コストで製造することができる。
【００３３】
（４）さらに、凹部であるエッチング溝部３１は、第１段部１２の上面から引っ込んでいる。従って、エッチング凹部３１を第１段部１２上に設置したとしても、とりわけそれがボンディングワイヤ１６の邪魔になるようなこともない。
【００３４】
（５）この半導体パッケージ１では、エッチング溝部３１の幅が１５０μｍ以上という好適範囲に設定されている。従って、エッチング溝部３１内に確実に封止材１５を落とし込んで、トラップすることができる。よって、封止材１５がボンディングパッド１３にいっそう到達しにくくなり、封止材１５の付着を確実に回避することができる。
【００３５】
（６）この半導体パッケージ１では、エッチング溝部３１の外縁部分が曲線状にうねっている。それゆえ、隣接するめっきスルーホール１０のランド１１同士は、エッチング溝部３１によって互いに隔てられている。このことにより、封止材１５がボンディングパッド１３にいっそう到達しにくくなっている。従って、封止材１５の付着を確実に回避することができる。
【００３６】
（７）また、本実施形態によると、パッド１３に付着した封止材１５を除去・修正する工程が余分に必要になることがない。よって、コスト高及び生産性低下を防止することができる。
【００３７】
なお、本発明の実施形態は以下のように変更してもよい。
・  エッチング溝部３１の形状は実施形態のもののみに限定されることはなく、例えば図４〜図６に示される別例のように変更してもよい。図４におけるエッチング溝部４１は、内縁部分及び外縁部分の両方が直線状になっている。ゆえに、この別例のエッチング溝部４１は帯状かつ等しい幅となっている。図５におけるエッチング溝部４２は、外縁部分の曲線がより複雑で入り組んだ形状になっている。従って、実施形態のものに比べて凹部の占有面積が大きく、内部に封止材１５を落とし込んでトラップする効果がいっそう高くなっている。図６におけるエッチング溝部４３は、外縁部分が直線状ではない点で実施形態と共通する反面、曲線的なものではなく、いわば鉤状に屈曲している。
【００３８】
・  実施形態や前記別例のようなエッチング溝部３１，４１，４２，４３に代えて、図７に示される別例のようにエッチングによらない凹部（溝部）、具体的には研削加工等により形成される研削溝部４４等を採用してもよい。同図において研削溝部４４は、下側積層板５を構成しているプリプレグ３３に形成されている。
【００３９】
・  凹部は必ずしも溝状でなくてもよく、例えば不連続的なもの（例えば多数の穴を配列してなるようなもの）であっても構わない。
・  上記の凹凸構造は凹部のみに限定されない。例えば、図８に示される別例では、凸部としてダム突条４５を設けている。このようなダム突条４５は、めっきスルーホール列を外周側から完全に包囲するように形成されることがよい。ダム突条４５の高さは５μｍ〜３０μｍ程度であることがよい。また、ダム突条４５は、樹脂等の絶縁材料からなることがよい。
【００４０】
・  金属板製のヒートスラグ３の代わりに、セラミックス板（例えばアルミナ基板や窒化アルミニウム基板等）からなるヒートスラグを使用してもよい。また、ヒートスラグ３は必須の構成ではないため、不必要であれば省略してもよい。
【００４１】
・  多層プリント配線板２は６層板のみに限定されず、導体層が５層以下のものや、７層以上のものであっても勿論よい。
・  めっきスルーホール１０の列は、必ずしもキャビティ９の開口縁を完全に包囲していなくてもよく、当該箇所に点在していてもよい。
【００４２】
・  半導体チップ搭載エリアには、キャビティ９が存在していなくてもよい。
・  電子部品搭載装置である半導体パッケージ１は、フェイスアップタイプのＢＧＡとして具体化されてもよいほか、ＢＧＡ以外のパッケージ（例えばＰＧＡ等）として具体化されても勿論構わない。また、このような装置に搭載される電子部品は、ＬＳＩチップ４のみに限定されない。
【００４３】
次に、特許請求の範囲に記載された技術的思想のほかに、前述した実施形態によって把握される技術的思想をその効果とともに以下に列挙する。
（１） 請求項２，３，４のいずれか１つにおいて、前記凹部は、前記多層プリント配線板を構成する下側積層板の最表層にあった導体層をエッチングすることによって形成されたエッチング凹部であること。従って、この技術的思想１に記載の発明によれば、凹部の形成をエッチングによるパターン形成工程と同時に行うことができる。よって、別工程を必要とすることもなく、効率よく製造可能な装置とすることができる。
【００４４】
（２）  技術的思想１において、前記複数のめっきスルーホールは、前記エリアを包囲するように列をなした状態で形成され、前記エッチング凹部は、そのめっきスルーホール列を外周側から完全に包囲するように形成された連続状のエッチング溝部であること。従って、この技術的思想２に記載の発明によれば、パッド表面への封止材の付着が確実に回避される結果、接続信頼性のさらなる向上を図ることができる。
【００４５】
（３）  技術的思想２において、前記導体層は銅箔及びめっき層からなり、前記エッチング溝部の深さはその導体層の厚さ分に相当すること。
（４）  技術的思想３において、前記エッチング溝部の深さは１．０μｍ〜７．０μｍであること。従って、この技術的思想４に記載の発明によれば、凹部に十分な深さを確保できる。
【００４６】
（５）  請求項１乃至４、技術的思想１乃至４のいずれか１つにおいて、前記めっきスルーホールのランドにおいて前記エリアの近くに位置する箇所には、ワイヤボンディング部が残されていること。従って、この技術的思想５に記載の発明によれば、ワイヤボンディングによりめっきスルーホール側との電気的接続を容易に図ることができる。
【００４８】
（８）  多層板上における半導体チップ搭載エリアとボンディングパッド群形成領域との間に、層間接続用のめっきスルーホール群が形成され、前記めっきスルーホール群を構成している各めっきスルーホールが封止材によって穴埋めされている電子部品搭載装置において、前記各めっきスルーホールと前記ボンディングパッド群との間の領域に、前記封止材の流動を阻止する凹凸構造を設けたことを特徴とする電子部品搭載装置。
【００４９】
【発明の効果】
以上詳述したように、請求項１〜４に記載の発明によれば、エッチング溝部の形成をエッチングによるパターン形成工程と同時に行うことができ、ワイヤボンディング部分における接続信頼性に優れた電子部品搭載装置を提供することができる。
【００５０】
請求項２に記載の発明によれば、生産性の低下を防止することができる。
請求項３，４に記載の発明によれば、パッド表面への封止材の付着が確実に回避される結果、接続信頼性のさらなる向上を図ることができる。
【図面の簡単な説明】
【図１】本発明を具体化した一実施形態の半導体パッケージの概略断面図。
【図２】同半導体パッケージの要部拡大断面図。
【図３】同半導体パッケージの要部拡大平面図。
【図４】別例の半導体パッケージの要部拡大平面図。
【図５】別例の半導体パッケージの要部拡大平面図。
【図６】別例の半導体パッケージの要部拡大平面図。
【図７】別例の半導体パッケージの要部拡大断面図。
【図８】別例の半導体パッケージの要部拡大断面図。
【符号の説明】
１…電子部品搭載装置としての半導体パッケージ、２…多層板としての多層プリント配線板、９…半導体チップ搭載エリアに対応して設けられたキャビティ、１０…層間接続用めっきスルーホール、１３…ボンディングパッド、１５…封止材、３１，４１，４２，４３…凹凸構造としてのエッチング溝部、４４…凹凸構造としての研削溝部、４５…凹凸構造としての凸部。
【図１】
0004362165.tif 000002
【図２】
0004362165.tif 000003
【図３】
0004362165.tif 000004
【図４】
0004362165.tif 000005
【図５】
0004362165.tif 000006
【図６】
0004362165.tif 000007
【図７】
0004362165.tif 000008
【図８】
0004362165.tif 000009